(57)【要約】【課題】誤った試験条件で規格規定試験が行われることを抑制すること。【解決手段】シャルピー衝撃試験について、ＣＰＵ２４が、規格で規定されている試験条件、顧客が要求する試験条件、及び受渡当事者間で結ばれている試験条件に関する協定の内容に基づいて省略可能な試験条件を判別し、判別結果に基づいてシャルピー衝撃試験を行う際の試験条件を決定し、出力装置４を制御することによって決定した試験条件を出力する。これにより、誤った試験条件で規格規定試験が行われることを抑制できる。【選択図】図１
2012093224.tif 000002
【特許請求の範囲】
【請求項１】
鋼材の機械的性質を求める試験について、規格で規定されている試験条件、顧客が要求する試験条件、及び受渡当事者間で結ばれている試験条件に関する協定の内容に基づいて、省略可能な試験条件を判別する判別手段と、
前記判別手段の判別結果に基づいて、前記鋼材の機械的性質を求める試験を行う際の試験条件を決定する試験条件決定手段と、
前記試験条件決定手段によって決定された前記鋼材の機械的性質を求める試験の試験条件を出力する出力手段と、
を備えることを特徴とする試験条件決定装置。
【請求項２】
前記試験条件決定手段は、
前記鋼材の吸収エネルギーを求めるためのシャルピー衝撃試験について、規格規定の試験温度と顧客要求の試験温度とを比較し、
規格規定の試験温度が顧客要求の試験温度より低い場合、前記試験の試験温度を規格規定の試験温度と顧客要求の試験温度とに決定し、
規格規定の試験温度と顧客要求の試験温度とが等しい場合、前記試験の試験温度を規格規定の試験温度又は顧客要求の試験温度のいずれかに決定し、
規格規定の試験温度が顧客要求の試験温度より高い場合、試験温度に係る受渡当事者間の協定があるか否かを判別し、
試験温度に係る受渡当事者間の協定がある場合、前記試験の試験温度を顧客要求の試験温度に決定し、
試験温度に係る受渡当事者間の協定が無い場合、前記試験の試験温度を規格規定の試験温度と顧客要求の試験温度とに決定する
ことを特徴とする請求項１に記載の試験条件決定装置。
【請求項３】
前記試験条件決定手段は、
前記鋼材の吸収エネルギーを求めるためのシャルピー衝撃試験について、規格規定の試験片採取方向と顧客要求の試験片採取方向とを比較し、
規格規定の試験片採取方向が顧客要求の試験片採取方向と等しい場合、前記試験の試験片採取方向を圧延方向に決定し、
規格規定の試験片採取方向が顧客要求の試験片採取方向と異なる場合、試験片採取方向に係る受渡当事者間の協定があるか否かを判別し、
試験片採取方向に係る受渡当事者間の協定があり、且つ、該協定において、圧延方向の試験を省略することに関して注文者の承認がある場合、前記試験の試験片採取方向を直角方向に決定し、
試験片採取方向に係る受渡当事者間の協定があり、且つ、該協定において、圧延方向の試験を省略することに関して注文者の承認がない場合、前記試験の試験片採取方向を圧延方向と直角方向とに決定する
ことを特徴とする請求項１又は２に記載の試験条件決定装置。
【請求項４】
鋼材の機械的性質を求める試験について、規格で規定されている試験条件、顧客が要求する試験条件、及び受渡当事者間で結ばれている試験条件に関する協定の内容に基づいて、省略可能な試験条件を判別する判別処理と、
前記判別処理の判別結果に基づいて、前記鋼材の機械的性質を求める試験を行う際の試験条件を決定する試験条件決定処理と、
前記試験条件決定処理によって決定された前記鋼材の機械的性質を求める試験の試験条件を出力する出力処理と、
をコンピュータに実行させることを特徴とする試験条件決定プログラム。
【発明の詳細な説明】
【技術分野】
【０００１】
本発明は、規格で規定されている圧延，鋳造，若しくは鍛造された鋼及びその製品の機械的性質を調べる試験の試験条件を決定する試験条件決定装置及び試験条件決定プログラムに関するものである。
【背景技術】
【０００２】
圧延，鋳造，若しくは鍛造された鋼及びその製品（以下、「鋼材」と表記）の機械的性質を調べる試験としては、シャルピー衝撃試験，引張試験，曲げ試験，硬さ試験等の各種試験がある。これらの試験のうち、考案したフランス人技術者の名前に因んで名付けられたシャルピー衝撃試験は、鋼材の靭性を調べるための試験である。鋼材の靭性は、吸収エネルギー，破面率，衝撃値，遷移温度等の特性値によって表すことができる。これらの特性値の中で、吸収エネルギーはシャルピー吸収エネルギーと呼ばれている。
【０００３】
シャルピー吸収エネルギーを求める試験方法は、日本工業規格（Japanese Industrial Standards：JIS）とＪＩＳ以外の規格とでは若干異なる部分があるが、ＪＩＳでは以下のように規定されている。また、その試験条件についても同様に、ＪＩＳとＪＩＳ以外の規格とで相違は見られるものの、共通した試験項目として試験温度と試験片採取方向とがあり、試験温度と試験片採取方向について、ＪＩＳでは以下のように規定されている。
【０００４】
なお、ＪＩＳ以外の規格としては、米国材料試験協会（American Society for Testing and Materials）が定めたＡＳＴＭ規格、アメリカ機械工学会（American Society of Mechanical Engineers）が定めたＡＳＭＥ規格等のＡＮＳＩ（American National Standards Institute）規格、及び欧州規格（European Standards）等を例示できる。
【０００５】
〔シャルピー吸収エネルギーを求める試験方法〕
（１）標準試験片として、圧延方向から採取した長さが５５ｍｍ、１辺１０ｍｍの正方形の断面形状を有し、その中央に深さ２ｍｍの４５度Ｖ字溝（Ｖノッチ）又は深さ５ｍｍのＵ字溝（Ｕノッチ）を入れたものを使用する。
（２）標準試験片を各材料規格に定められた試験温度とした後、回転型の衝撃刃でノッチの反対側の試験片面に衝撃を加え、衝撃刃を振り落とした角度と衝撃刃が試験片を破壊した後に振り上がった角度との差から標準試験片の破壊に要したエネルギーを計算し、計算されたエネルギーをシャルピー吸収エネルギーとする。
（３）試験を３回行い、３回の試験によって得られたシャルピー吸収エネルギーの平均値を標準試験片のシャルピー吸収エネルギーとして採用する。
【０００６】
〔シャルピー吸収エネルギーを求めるための試験条件〕
（１）試験温度は鋼材の規格毎に定められた温度とする。
（２）試験片の採取方向は圧延方向とする。
【０００７】
ＪＩＳでは、シャルピー吸収エネルギーを求める試験方法及び試験条件は、このように規定されている。そして、シャルピー吸収エネルギーを求める試験を行う際には、オペレータは、規格で規定されている試験条件と顧客（発注者）が要求する試験条件とに基づいて、試験を行う際の試験条件を決定する。
【０００８】
具体的には、ＪＩＳの規定に準拠して試験を行う場合、オペレータは、始めに顧客の要求（以下、「顧客要求」と表記）があるか否かを判断する。そして、顧客要求があり、その中で試験条件が指定されている場合、オペレータは、試験温度については、顧客要求で指定されている試験温度がＪＩＳで規定されている試験温度と異なるか否かを判定し、異なる場合には、顧客要求で指定されている試験温度とＪＩＳで規定されている試験温度との両方の試験温度で試験を行う。また、試験片採取方向については、オペレータは、顧客要求で指定されている試験片採取方向が直角方向であるか否かを判定し、直角方向である場合、顧客要求で指定されている試験片採取方向とＪＩＳで規定されている試験片採取方向（圧延方向）との両方の試験片採取方向で試験を行う。
【０００９】
一方、顧客から試験条件を指定せずにシャルピー吸収エネルギーを求める試験を要求されている場合、顧客からシャルピー吸収エネルギーを求める試験以外の試験を要求されている場合、又は何ら試験を要求されていない場合には、オペレータは、ＪＩＳで規定されている試験温度及び試験片採取方向で試験を行う。また、ＪＩＳ以外の規定に準拠して試験を行う場合には、オペレータは、準拠する規格に従って試験条件を決定する。但し、この際、輸出相手国の規定や社内規定等がある場合には、オペレータは、その規定に準拠して試験条件を決定する。
【先行技術文献】
【特許文献】
【００１０】
【特許文献１】特許第４１０６１６１号公報
【特許文献２】特開２００３−３１５２２６号公報
【特許文献３】特許第４２８００３９号公報
【発明の概要】
【発明が解決しようとする課題】
【００１１】
しかしながら、上述の通り、シャルピー吸収エネルギーを求める試験の試験条件を決定するためのプロセスは大変複雑である。このため、試験条件を決定する際に、オペレータが誤った判断をすることによって必要な試験が行われなかったり、又は不必要な試験が行われてしまったりして、鋼材の製造原価の上昇や試験期間の延長等の問題が引き起こされていた。さらには、ＪＩＳの２００８年版では、ＪＩＳ＿Ｇ＿３１０６で規定する「溶接構造用圧延鋼材」及びＪＩＳ＿Ｇ＿３１１４で規定する「溶接構造用対候性熱間圧延鋼材」のシャルピー吸収エネルギーの試験条件が改定され、新たに以下の注記（１），（２）が追加された。
【００１２】
注記（１）：受渡当事者間の協定によって、これらの試験温度より低い試験温度で試験を行う場合には、その試験温度に置き換えてもよい。
注記（２）：受渡当事者間の協定によって、圧延方向と直角方向との両方向で試験を行う場合には、注文者の承認があれば、圧延方向の試験を省略してもよい。
【００１３】
すなわち、新たなＪＩＳの規定によれば、鋼材の製造者と顧客（以下、両者を併せて「受渡当事者」と表記）とがシャルピー吸収エネルギーを求める試験に関して協定を結んでいる場合には、その協定の内容によっては、ＪＩＳが規定する試験条件の一部を省略することができるようになった。このため、新たなＪＩＳの規定によれば、シャルピー吸収エネルギーを求める試験を行う場合には、ＪＩＳの規定及び顧客要求に加えて、受渡当事者間の協定の内容を加味して試験条件を決定しなければならない。これは、試験条件を決定するための判断基準が増えるということであり、このことに起因して、試験条件の決定に際して従来以上に判断の誤りが多く発生し、必要な試験条件での試験が行われなかったり、又は不必要な試験条件での試験が行われてしまったりする傾向が顕著になっている。
【００１４】
本発明は、上記課題に鑑みてなされたものであって、その目的は、誤った試験条件で規格規定試験が行われることを抑制可能な試験条件決定装置及び試験条件決定プログラムを提供することにある。
【課題を解決するための手段】
【００１５】
上記課題を解決し、目的を達成するために、本発明に係る試験条件決定装置は、鋼材の機械的性質を求める試験について、規格で規定されている試験条件、顧客が要求する試験条件、及び受渡当事者間で結ばれている試験条件に関する協定の内容に基づいて、省略可能な試験条件を判別する判別手段と、前記判別手段の判別結果に基づいて、前記鋼材の機械的性質を求める試験を行う際の試験条件を決定する試験条件決定手段と、前記試験条件決定手段によって決定された前記鋼材の機械的性質を求める試験の試験条件を出力する出力手段と、を備える。
【００１６】
上記課題を解決し、目的を達成するために、本発明に係る試験条件決定プログラムは、鋼材の機械的性質を求める試験について、規格で規定されている試験条件、顧客が要求する試験条件、及び受渡当事者間で結ばれている試験条件に関する協定の内容に基づいて、省略可能な試験条件を判別する判別処理と、前記判別処理の判別結果に基づいて、前記鋼材の機械的性質を求める試験を行う際の試験条件を決定する試験条件決定処理と、前記試験条件決定処理によって決定された前記鋼材の機械的性質を求める試験の試験条件を出力する出力処理と、をコンピュータに実行させる。
【発明の効果】
【００１７】
本発明に係る試験条件決定装置及び試験条件決定プログラムによれば、規格で規定されている試験条件、顧客が要求する試験条件、及び受渡当事者間で結ばれている試験条件に関する協定の内容に基づいて省略可能な試験条件を判別し、判別結果に基づいて規格規定試験を行う上で必要な試験条件を決定，出力するので、誤った試験条件で規格規定試験が行われることを抑制できる。
【図面の簡単な説明】
【００１８】
【図１】図１は、本発明の一実施形態である試験条件決定装置の構成を示すブロック図である。
【図２】図２は、図１に示す規格規定データベース内に格納される規格規定マスタの一例を示す図である。
【図３】図３は、本発明の一実施形態である試験条件決定処理の流れを示すフローチャートである。
【図４】図４は、顧客が要求する試験条件の登録画面の一例を示す図である。
【図５】図５は、規格試験を省略可能な試験片採取方向の組み合わせを示す図である。
【図６】図６は、エラーメッセージ画面の一例を示す図である。
【図７】図７は、顧客要求データの一例を示す図である。
【発明を実施するための形態】
【００１９】
以下、図面を参照して、本発明の一実施形態である試験条件決定装置の構成及びその動作について説明する。
【００２０】
〔試験条件決定装置の構成〕
始めに、図１，図２を参照して、本発明の一実施形態である試験条件決定装置の構成について説明する。図１は、本発明の一実施形態である試験条件決定装置の構成を示すブロック図である。図２は、図１に示す規格規定データベース内に格納される規格規定マスタの一例を示す図である。
【００２１】
図１に示すように、本発明の一実施形態である試験条件決定装置１は、ワークステーションやパーソナルコンピュータ等の汎用の情報処理装置によって構成され、装置本体２，入力装置３，及び出力装置４を主な構成要素として備える。装置本体２は、ＲＯＭ（Read Only Memory）２１，ＲＡＭ（Random Access Memory）２２，規格規定データベース２３，及びＣＰＵ（Central Processing Unit）２４を備え、入力装置３及び出力装置４に電気的に接続されている。装置本体２（ＣＰＵ２４）は、本発明に係る判別手段及び試験条件決定手段として機能し、出力装置４は、本発明に係る出力手段として機能する。
【００２２】
ＲＯＭ２１は、後述する試験条件決定処理の各処理ルーチンが規定された試験条件決定プログラム３１等の試験条件決定装置１の各種制御プログラムや制御データを記憶する。ＲＡＭ２２は、各種処理を実行する際にＣＰＵ２４が制御プログラムや制御データを一時的に記憶することによって、ＣＰＵ２４のワーキングエリアとして機能する。規格規定データベース２３は、ＪＩＳで規定されているシャルピー衝撃試験の試験条件が記述された規格規定マスタ３２等のシャルピー衝撃試験に関する各種情報を格納する。ＣＰＵ２４は、試験条件決定装置１全体の動作を制御する。
【００２３】
本実施形態では、規格規定データベース２３はシャルピー衝撃試験の試験条件に関する情報を格納しているが、シャルピー衝撃試験以外の鋼材の機械的性質を求めるための試験（例えば引張試験，曲げ試験，硬さ試験等）に関する試験条件を格納してもよい。また、本実施形態では、規格規定データベース２３は、ＪＩＳで規定されているシャルピー衝撃試験の試験条件が記述された規格規定マスタ３２を格納しているが、ＪＩＳ以外の規格で規定されているシャルピー衝撃試験の試験条件が記述されたマスタを格納してもよい。
【００２４】
本実施形態では、規格規定マスタ３２は図２に示すような構成を有する。すなわち、規格規定マスタ３２は、試験条件毎に固有の規格記号を示す規格記号フィールド、その試験条件が省略可能であるか否かを示す規格要否フィールド（Ｘ（省略可），ブランク（省略不可）），試験片採取方向を示す方向フィールド，試験温度を示す試験温度フィールド、及び最低限必要なシャルピー吸収エネルギー量を示す吸収エネルギーフィールドを有する。すなわち、規格規定マスタ３２には、各規格規定の試験条件について、規格要否（規格試験の省略可否），試験片採取方向，試験温度，及び最低限必要なシャルピー吸収エネルギー量が記述されている。具体的には、図２に示す規格種類の記号ＳＭ４００Ｂの試験条件は、省略可能（Ｘ）であり、試験片採取方向を圧延方向、試験温度を０℃とした時に２７ジュール以上のシャルピー吸収エネルギーが必要である旨が規定されている。
【００２５】
ＲＯＭ２１内に記憶される制御プログラムや制御データは、インストール可能な形式又は実行可能な形式のファイルでＣＤ−ＲＯＭ，フレキシブルディスク，ＣＤ−Ｒ，ＤＶＤ等のコンピュータが読み取り可能な記録媒体に記録して提供するように構成してもよい。また、制御プログラムや制御データは、インターネット等の電気通信回線に接続されたコンピュータ上に格納し、電気通信回線経由でダウンロードさせることによって提供するように構成してもよい。また、制御プログラムや制御データをインターネット等の電気通信回線を介して提供又は配布するように構成してもよい。
【００２６】
入力装置３は、キーボードやマウスポインタ等の公知の入力装置によって構成され、オペレータの操作によって入力された情報を装置本体２に出力する。オペレータが入力する情報としては、顧客が要求する試験条件，受渡当事者間の協定の内容，各種処理の実行指令等を例示することができる。出力装置４は、表示装置や印刷装置等の公知の出力装置によって構成され、試験条件決定処理によって得られるシャルピー衝撃試験の試験条件やエラーメッセージ等の各種情報を出力する。
【００２７】
このような構成を有する試験条件決定装置１は、以下に示す試験条件決定処理を実行することによって、誤った試験条件で規格規定試験が行われることを抑制する。以下、図３に示すフローチャートを参照して、試験条件決定処理を実行する際の試験条件決定装置１の動作について説明する。
【００２８】
〔試験条件決定処理〕
図３は、本発明の一実施形態である試験条件決定処理の流れを示すフローチャートである。図３に示すフローチャートは、オペレータが入力装置３を操作することによって試験条件決定処理の実行を指示したタイミングで開始となり、試験条件決定処理はステップＳ１の処理に進む。なお、以下に示す試験条件決定装置１の動作は、ＣＰＵ２４が、ＲＯＭ２１内に記憶されている試験条件決定プログラム３１をＲＡＭ２２内にロードし、ＲＡＭ２１内にロードされた試験条件決定プログラム３１を実行することによって実現される。
【００２９】
ステップＳ１の処理では、ＣＰＵ２４が、顧客要求のシャルピー衝撃試験の指定があるか否かを判別する。顧客要求のシャルピー衝撃試験は、オペレータが入力装置３を操作することによって、出力装置４に出力された図４に示すようなシャルピー衝撃試験の登録画面に要求仕様番号（要求仕様Ｎｏ．），規格種類の記号（規格記号）、規格要否、試験片採取方向（方向）、試験温度、及び最低限必要なシャルピー吸収エネルギー量（吸収エネルギー）に関する情報を入力することによって、指定することができる。判別の結果、顧客要求のシャルピー衝撃試験の指定がある場合、ＣＰＵ２４は試験条件決定処理をステップＳ３の処理に進める。一方、顧客要求のシャルピー衝撃試験の指定がない場合には、ＣＰＵ２４は試験条件決定処理をステップＳ２の処理に進める。
【００３０】
ステップＳ２の処理では、ＣＰＵ２４が、規格規定の試験条件をシャルピー衝撃試験を行う上で必要な試験条件として決定し、決定した試験条件に関する情報を出力装置４に出力する。これにより、ステップＳ２の処理は完了し、一連の試験条件決定処理は終了する。
【００３１】
ステップＳ３の処理では、ＣＰＵ２４が、図４に示す登録画面において指定された規格要否がＸ（省略可）であるか否か、換言すれば、受渡当事者間の協定に基づいて規格規定のシャルピー衝撃試験が省略可に設定されているか否かを判別する。判別の結果、規格要否がＸ（省略可）である場合、ＣＰＵ２４は試験条件決定処理をステップＳ６の処理に進める。一方、規格要否がブランク（省略不可）である場合には、ＣＰＵ２４は試験条件決定処理をステップＳ４の処理に進める。
【００３２】
ステップＳ４の処理では、ＣＰＵ２４が、規格規定のシャルピー衝撃試験は省略不可であると判定する。これにより、ステップＳ４の処理は完了し、試験条件決定処理はステップＳ５の処理に進む。
【００３３】
ステップＳ５の処理では、ＣＰＵ２４が、顧客要求の試験条件と規格規定の試験条件とをシャルピー衝撃試験を行う上で必要な試験条件として決定し、決定した試験条件に関する情報を出力装置４に出力する。これにより、ステップＳ２の処理は完了し、一連の試験条件決定処理は終了する。
【００３４】
ステップＳ６の処理では、ＣＰＵ２４が、規格規定マスタ３２から図４に示す登録画面において指定された規格種類の記号に対応するＪＩＳで規定されている試験条件（規格規定の試験条件）を読み出し、読みされた規格規定の試験条件の規格要否フィールドの指定がＸ（省略可）になっているか否かを判別する。判別の結果、規格要否フィールドの指定がＸ（省略可）になっている場合、ＣＰＵ２４は、試験条件決定処理をステップＳ７の処理に進める。一方、規格要否フィールドの指定がブランク（省略不可）になっている場合には、ＣＰＵ２４は、試験条件決定処理をステップＳ１１の処理に進める。
【００３５】
ステップＳ７の処理では、ＣＰＵ２４が、図４に示す登録画面において指定された試験片採取方向とステップＳ６の処理によって読み出された規格規定の試験条件の方向フィールドにおいて指定されている試験片採取方向との組み合わせが図５に示す所定の組み合わせのいずれかであるか否かを判別する。なお、図５に示すデータはＲＯＭ２１又は規格規定データベース２３内に予め格納されているものとする。判別の結果、図５に示す所定の組み合わせのうちのいずれかである場合、ＣＰＵ２４は、試験条件決定処理をステップＳ８の処理に進める。一方、図５に示す所定の組み合わせのうちのいずれでもない場合には、ＣＰＵ２４は、試験条件決定処理をステップＳ１１の処理に進める。
【００３６】
ステップＳ８の処理では、ＣＰＵ２４が、図４に示す登録画面において指定された試験温度（顧客要求温度）がステップＳ６の処理によって読み出された規格規定の試験条件の試験温度フィールドにおいて指定されている試験温度（規格温度）より低いか否かを判別する。判別の結果、顧客要求温度が規格温度より低い場合、ＣＰＵ２４は試験条件決定処理をステップＳ９の処理に進める。一方、顧客要求温度が規格温度と同じ又は規格温度より高い場合には、ＣＰＵ２４は、試験条件決定処理をステップＳ１１の処理に進める。
【００３７】
ステップＳ９の処理では、ＣＰＵ２４が、図４に示す登録画面において指定された最低限必要なシャルピー吸収エネルギー量（顧客要求吸収エネルギー）がステップＳ６の処理によって読み出された規格規定の試験条件の吸収エネルギーフィールドにおいて指定されているシャルピー吸収エネルギー量（規格吸収エネルギー）以上であるか否かを判別する。判別の結果、顧客要求吸収エネルギーが規格吸収エネルギー以上である場合、ＣＰＵ２４は試験条件決定処理をステップＳ９の処理に進める。一方、顧客要求吸収エネルギーが規格吸収エネルギー未満である場合には、ＣＰＵ２４は、試験条件決定処理をステップＳ１１の処理に進める。
【００３８】
ステップＳ９の処理では、ＣＰＵ２４が、図４に示す登録画面において指定された最低限必要なシャルピー吸収エネルギー量（顧客要求吸収エネルギー）がステップＳ６の処理によって読み出された規格規定の試験条件の吸収エネルギーフィールドにおいて指定されているシャルピー吸収エネルギー量（規格吸収エネルギー）以上であるか否かを判別する。判別の結果、顧客要求吸収エネルギーが規格吸収エネルギー以上である場合、ＣＰＵ２４は試験条件決定処理をステップＳ９の処理に進める。一方、顧客要求吸収エネルギーが規格吸収エネルギー未満である場合には、ＣＰＵ２４は、試験条件決定処理をステップＳ１１の処理に進める。
【００３９】
ステップＳ１０の処理では、ＣＰＵ２４が、オペレータによって入力された試験片採取方向，試験温度，及びシャルピー吸収エネルギー以外の試験条件とＪＩＳで規定されている試験片採取方向，試験温度，及びシャルピー吸収エネルギー以外の試験条件とが同じであるか否かを判別する。判別の結果、オペレータによって入力された試験片採取方向，試験温度，及びシャルピー吸収エネルギー以外の試験条件とＪＩＳで規定されている試験片採取方向，試験温度，及びシャルピー吸収エネルギー以外の試験条件とが同じでない場合、ＣＰＵ２４は、試験条件決定処理をステップＳ１１の処理に進める。一方、オペレータによって入力された試験片採取方向，試験温度，及びシャルピー吸収エネルギー以外の試験条件とＪＩＳで規定されている試験片採取方向，試験温度，及びシャルピー吸収エネルギー以外の試験条件とが同じである場合には、ＣＰＵ２４は、試験条件決定処理をステップＳ１２の処理に進める。
【００４０】
ステップＳ１１の処理では、ＣＰＵ２４が、図４に示す登録画面において指定された規格種類の記号に対応するＪＩＳで規定されている試験条件は省略不可能、換言すれば、図４に示す登録画面において規格要否をＸ（省略可）に設定できないと判定する。そして、ＣＰＵ２４は、例えば図６に示すようなオペレータによって入力された規格種類の記号に対応するＪＩＳで規定されている試験条件の省略は不可である旨のエラーメッセージ画面を出力装置４に出力する。これにより、ステップＳ１１の処理は完了し、一連の試験条件決定処理は終了する。
【００４１】
ステップＳ１２の処理では、ＣＰＵ２４が、規格規定のシャルピー衝撃試験は省略可能であると判定する。これにより、ステップＳ１２の処理は完了し、試験条件決定処理はステップＳ１３の処理に進む。
【００４２】
ステップＳ１３の処理では、ＣＰＵ２４が、顧客要求の試験条件をシャルピー衝撃試験を行う上で必要な試験条件として決定、決定した試験条件に関する情報を出力装置４に出力する。具体的には、ＣＰＵ２４は、図７に示すような顧客が要求する試験条件を記述した顧客要求データを生成し、生成した顧客要求データを出力装置４に出力する。図７に示す顧客要求データは、規格記号、規格要否、試験片採取方向、試験温度、及び最低限必要なシャルピー吸収エネルギー量に関する情報が要求仕様毎に記述されたものである。これにより、ステップＳ１３の処理は完了し、一連の試験条件決定処理は終了する。
【００４３】
以上の説明から明らかなように、本発明の一実施形態である試験条件決定装置１では、シャルピー衝撃試験について、ＣＰＵ２４が、規格で規定されている試験条件、顧客が要求する試験条件、及び受渡当事者間で結ばれている試験条件に関する協定の内容に基づいて省略可能な試験条件を判別し、判別結果に基づいてシャルピー衝撃試験を行う際の試験条件を決定し、出力装置４を制御することによって決定した試験条件を出力する。従って、本発明の一実施形態である試験条件決定装置１によれば、誤った試験条件でシャルピー衝撃試験が行われることを抑制できる。
【００４４】
以上、本発明者によってなされた発明を適用した実施の形態について説明したが、本実施形態による本発明の開示の一部をなす記述および図面により本発明は限定されることはない。すなわち、本実施形態に基づいて当業者等によりなされる他の実施の形態、実施例および運用技術等は全て本発明の範疇に含まれる。
【符号の説明】
【００４５】
１  試験条件決定装置
２  装置本体
３  入力装置
４  出力装置
２１  ＲＯＭ（Read Only Memory）
２２  ＲＡＭ（Random Access Memory）
２３  規格規定データベース
２４  ＣＰＵ（Central Processing Unit）
３１  試験条件決定プログラム
３２  規格規定マスタ
【図１】
2012093224.tif 000003
【図２】
2012093224.tif 000004
【図３】
2012093224.tif 000005
【図４】
2012093224.tif 000006
【図５】
2012093224.tif 000007
【図６】
2012093224.tif 000008
【図７】
2012093224.tif 000009